(57)【要約】【課題】圧縮空気供給源からメインノズルまでの配管を簡素化することにある。【解決手段】空気供給装置は、圧縮空気供給源に接続された第１の開閉弁と、第１の開閉弁に接続された第１の圧縮空気調整器であってその流出量又は圧力を所定の第１の設定値に設定された１以上の第１の圧縮空気調整器と、圧縮空気供給源に接続された第２の圧縮空気調整器であってその流出量又は圧力の設定値が第２の設定値に設定された、第１の圧縮空気調整器と同数の第２の圧縮空気調整器と、第１及び第２の圧縮空気調整器のそれぞれに接続された第２の開閉弁であって第１の圧縮空気調整器の数と同数以上の第２の開閉弁とを含む。各第２の開閉弁は、メインノズルに接続されており、第１の開閉弁の開放は、緯入れ時における所定の第１の期間にされ、第２の開閉弁の開放は、第１の期間及び第１の期間と異なる第２の期間にされる。【選択図】          図１
2004162221.tif 000002
【特許請求の範囲】
【請求項１】
圧縮空気供給源と、
前記圧縮空気供給源に接続された第１の開閉弁と、
前記第１の開閉弁に接続された第１の圧縮空気調整器であって圧縮空気の流出量及び圧力の少なくとも一方を所定の第１の設定値に設定された１以上の第１の圧縮空気調整器と、
前記圧縮空気供給源に接続された第２の圧縮空気調整器であって圧縮空気の流出量及び圧力の少なくとも一方の設定値が前記第１の設定値と異なる第２の設定値に設定された、前記第１の圧縮空気調整器と同数の第２の圧縮空気調整器と、前記第１及び第２の圧縮空気調整器に接続された第２の開閉弁であって前記第１の圧縮空気調整器の数と同数以上の第２の開閉弁とを含み、
前記第２の開閉弁は、メインノズルに接続されており、
前記第１の開閉弁は、緯入れ時における所定の第１の期間に開放され、
前記第２の開閉弁は、前記第１の期間及び前記第１の期間と異なる第２の期間に開放される、空気噴射式織機の空気供給装置。
【請求項２】
さらに、前記第１の開閉弁の出力に接続された分岐路を含み、
前記第１及び第２の圧縮空気調整器並びに前記第２の開閉弁は２以上備えられ、
複数の前記第１の圧縮空気調整器は前記分岐路に個々に接続されている、請求項１に記載の空気供給装置。
【請求項３】
さらに、前記第１及び第２の圧縮空気調整器の出力を受ける分岐路であって２以上備えられた前記第２の開閉弁に個々に分岐する分岐路を含み、
各第２の開閉弁は異なるメインノズルに接続されている、請求項１に記載の空気供給装置。
【請求項４】
圧縮空気供給源と、
前記圧縮空気供給源に接続された１以上の圧縮空気調整器と、
前記圧縮空気調整器に接続された開閉弁であってメインノズルに１対１の関係に接続された開閉弁とを含み、
前記開閉弁は、前記メインノズルの緯入れ時における所定期間である第１の期間、並びに前記第１の期間と異なる第２の期間に開放され、
前記圧縮空気調整器は、前記第１及び第２の期間のそれぞれに応じて、前記開閉弁に供給する圧縮空気の流量及び圧力の少なくとも一方を制御する、空気噴射式織機の空気供給装置。
【請求項５】
圧縮空気供給源と、
前記圧縮空気供給源に接続された１以上の圧縮空気調整器であってメインノズルに１対１の関係に接続された圧縮空気調整器とを含み、
前記圧縮空気調整器は、メインノズルに供給する圧縮空気の流量及び圧力の少なくとも一方を、予め設定された主軸回転角度に基づいて制御する、空気噴射式織機の空気供給装置。
【請求項６】
さらに、前記圧縮空気供給源からの常時噴射用の圧縮空気をメインノズルに供給する配管を含む、請求項１から５のいずれか１項に記載の空気供給装置。
【請求項７】
さらに、メインノズルに対応する前記第２の開閉弁を緯糸搬送補助用の１以上の補助メインノズルに接続する配管を含む、請求項１から６のいずれか１項に記載の空気供給装置。
【請求項８】
前記圧縮空気調整器は、絞り弁及びレギュレータの少なくとも一方を含む、請求項１から７のいずれか１項に記載の空気供給装置。
【請求項９】
前記圧縮空気供給源は、圧力源、補助圧縮空気調整器及び圧縮空気タンクの少なくとも１つを含む、請求項１から８のいずれか１項に記載の空気供給装置。
【発明の詳細な説明】
【０００１】
【発明の属する技術分野】
本発明は、空気噴射式織機の緯入れノズル、特に、メインノズルに空気を供給する装置に関する。
【０００２】
【従来の技術】
空気噴射式織機のメインノズルに空気を供給する装置の１つとして特許文献１に記載されている技術が知られている。
【０００３】
この従来技術によれば、空気供給装置は、第１の圧縮空気調整器（特許文献１の第１図の符号４）と、この第１の圧縮空気調整器に接続された空気タンク（特許文献１の第１図の符号５）と、この空気タンクに接続された第１の開閉弁（特許文献１の第１図の符号６）であってメインノズル（特許文献１の第１図の符号１）に接続されている第１の開閉弁と、空気タンクに接続された第２の開閉弁（特許文献１の第１図の符号１７）と、この第２の開閉弁に接続された第２の圧縮空気調整器（特許文献１の第１図の符号１８）であってメインノズルに接続されている第２の圧縮空気調整器とを含む。
【０００４】
【特許文献１】
実開平１−５８６７８号公報（第８頁、第１図）
【０００５】
【解決しようとする課題】
しかし、上記特許文献１（第８頁の１４行から１６行参照。）に「本考案装置は、多色織機の場合に、その各緯入れノズル毎にそれぞれ設けるようにすればよい。」と記載されていることから明らかなように、複数のメインノズルを有する織機に上記従来技術をそのまま採用すると、第１及び第２の開閉弁の総数は、１つのメインノズルについて必要とする開閉弁の数（上記従来技術では、２つ）にメインノズルの本数を乗じた数となる。換言すると、開閉弁の総数はメインノズルの数に比例する。
【０００６】
このため、メインノズルの数が増えるにしたがって、開閉弁の取り付けスペース（空間）が多く必要になると共に、開閉弁、圧縮空気調整器及びメインノズルに接続される配管の数も多くなり、空気供給装置の内部が複雑になると共に、開閉弁の制御が非常に複雑になる。
【０００７】
また、配管が多い又は長いとそれだけ噴射圧力損失が大きくなり、さらに開閉弁が多いと、制御系の電気トラブルが多発する可能性があり、緯入れが不安定になることがあった。
【０００８】
本発明の目的は、空気噴射式織機において、開閉弁等の緯入れに必要な構成機器の簡素化をし、緯入れを安定化させることにある。
【０００９】
【解決手段、作用、効果】
本発明者らは、上記点に鑑み、圧縮空気供給源からメインノズルまでの配管を簡素化するだけでなく、単色織機から多色織機への変更が容易になる、すなわち、単色織機用の空気供給装置と多色織機用の空気供給装置との共通化をも視野に入れて精鋭研究を重ねた結果、以下の空気供給装置を発明した。
【００１０】
本発明に係る第１の空気供給装置は、圧縮空気供給源と、前記圧縮空気供給源に接続された第１の開閉弁と、前記第１の開閉弁に接続された第１の圧縮空気調整器であって圧縮空気の流出量及び圧力の少なくとも一方を所定の第１の設定値に設定された１以上の第１の圧縮空気調整器と、前記圧縮空気供給源に接続された第２の圧縮空気調整器であって圧縮空気の流出量及び圧力の少なくとも一方の設定値が前記第１の設定値と異なる第２の設定値に設定された、前記第１の圧縮空気調整器と同数の第２の圧縮空気調整器と、前記第１及び第２の圧縮空気調整器に接続された第２の開閉弁であって前記第１の圧縮空気調整器の数と同数以上の第２の開閉弁とを含む。前記第２の開閉弁は、メインノズルに接続されており、前記第１の開閉弁は、緯入れ時における所定の第１の期間に開放され、前記第２の開閉弁は、前記第１の期間及び前記第１の期間と異なる第２の期間に開放される。
【００１１】
ここでいう「緯入れ時における所定の第１の期間」とは、緯入れ期間（緯入れ開始から緯入れ終了まで）の内の所定期間や、緯入れの全期間も含む。
【００１２】
第１の空気供給装置においては、第２の圧縮空気調整器の第２の設定値が、第１の圧縮空気調整器の第１の設定値より小さく設定される。そのように設定されると、第１の期間では、第１及び第２の開閉弁のいずれもが開放することになるから、圧縮空気供給源からの圧縮空気は、第１の圧縮空気調整器を通過し、圧縮空気の流出量又は圧力が大きい状態でメインノズルから噴射される。また第２の期間では、第１の開閉弁が閉じられ、第２の開閉弁が開放されることになるから、圧縮空気供給源からの圧縮空気は、第２の圧縮空気調整器を通過し、圧縮空気の流出量又は圧力が小さい状態でメインノズルから噴射される。つまり、第１の開閉弁を開閉させるだけで、第２の開閉弁から噴出する圧縮空気の流出量又は圧力を変化させることができる。
【００１３】
上記第１の空気供給装置は、織機に備えられているメインノズルの数を１から２以上に増設する場合に、その効果を顕著に発揮する。すなわち、第１の空気供給装置は、さらに、前記第１の開閉弁の出力に接続された分岐路を含み、前記第１及び第２の圧縮空気調整器並びに前記第２の開閉弁は２以上備えられ、複数の前記第１の圧縮空気調整器は前記分岐路に個々に接続されているようにするか、あるいは、前記第１及び第２の圧縮空気調整器の出力を受ける分岐路であって２以上備えられた前記第２の開閉弁に個々に分岐する分岐路を含み、各第２の開閉弁は異なるメインノズルに接続されているようにするだけでよい。
【００１４】
これにより、メインノズルを２以上有する織機に備えられる上記第１の空気供給装置は、第１の開閉弁を共通化することができる。換言すると、複数のメインノズルを有する織機に第１の空気供給装置が備えられた場合であっても、共通の第１の開閉弁を開閉させるだけで、それぞれの第２の開閉弁から噴射する圧縮空気の流出量又は圧力を変化させることができる。このため、従来技術の空気供給装置よりも、高価な開閉弁の使用数を削減できることでコストが削減できると共に、配管の簡素化も実現できる。さらに、開閉弁の使用数を削減することで制御系の電気トラブルが減少でき、配管の簡素化により噴射圧力損失も減少できるため、緯入れの安定化に貢献できる。
【００１５】
本発明に係る第２の空気供給装置は、圧縮空気供給源と、前記圧縮空気供給源に接続された１以上の圧縮空気調整器と、前記圧縮空気調整器に接続された開閉弁であってメインノズルに１対１の関係に接続された開閉弁とを含む。前記開閉弁は、前記メインノズルの緯入れ時における所定期間である第１の期間、並びに前記第１の期間と異なる第２の期間に開放され、前記圧縮空気調整器は、前記第１及び第２の期間のそれぞれに応じて、前記開閉弁に供給する圧縮空気の流量及び圧力の少なくとも一方を制御する。
【００１６】
第２の空気供給装置は、圧縮空気の流出量又は圧力が制御可能な圧縮空気調整器を設けている。このため、従来技術に比べ、開閉弁及び圧縮空気調整器の数を削減することができる。また、開閉弁及び圧縮空気調整器の数が削減されたことにより、それらを結ぶ配管の量を減らすことができ、配管の簡素化を実現することができる。
【００１７】
本発明に係る第３の空気供給装置は、圧縮空気供給源と、前記圧縮空気供給源に接続された１以上の圧縮空気調整器であってメインノズルに１対１の関係に接続された圧縮空気調整器とを含む。前記圧縮空気調整器は、メインノズルに供給する圧縮空気の流量及び圧力の少なくとも一方を、予め設定された主軸回転角度に基づいて制御する。
【００１８】
第３の空気供給装置において、圧縮空気調整器は、メインノズルに供給する圧縮空気の流量及び圧力の少なくとも一方を、予め設定された主軸回転角度に基づいて制御するから、圧縮空気供給源から流出する圧縮空気は、流出量又は圧力を連続的に制御可能な圧縮空気制御器を介してメインノズルに出力される。
【００１９】
第３の空気供給装置は、主軸回転角度に応じて圧縮空気の流出量又は圧力を連続的に制御可能な圧縮空気制御器を設けているから、従来技術の場合に比べ、開閉弁及び圧縮空気調整器の数を削減することができ、したがって圧縮空気制御器のみで開閉弁から噴射する圧縮空気の噴射制御が行える。
【００２０】
また、開閉弁及び圧縮空気調整器の数が削減されたことにより、それらを結ぶ配管の量を減らすことができ、配管をきわめて簡素化することができる。さらに、開閉弁及び圧縮空気調整器の数が削減されたことにより、開閉弁及び圧縮空気調整器の制御機能も簡単になる。
【００２１】
上記第１から第３の空気供給装置は、さらに、前記圧縮空気供給源からの常時噴射用の圧縮空気をメインノズルに供給する配管を含むことができる。メインノズルに供給する常時噴射用の圧縮空気の流量又は圧力の値は、圧縮空気調整器の設定値より小さく設定するとよい。そのようにすることにより、メインノズルから少量の圧縮空気が常時噴射される。換言すると、緯入れ方向（すなわち緯糸貯留装置側から緯糸の先端部側の方向）に向かう圧縮空気がメインノズル内を常時流れている。このため、メインノズル内にある緯糸が、メインノズルから抜けることを防止することができる。
【００２２】
上記第１から第３の空気供給装置は、さらに、メインノズルに対応する前記第２の開閉弁を緯糸搬送補助用の１以上の補助メインノズルに接続する配管を含むことができる。補助メインノズルはメインノズルと緯糸貯留装置との間に配置される。そのようにすることにより、緯糸貯留装置に貯留されている緯糸をメインノズル内にスムーズに送ることができ、緯入れを確実に行うことができる。
【００２３】
上記第１から第３の空気供給装置において、前記圧縮空気調整器は、絞り弁及びレギュレータの少なくとも一方を含むことができる、又は、圧力源、補助圧縮空気調整器及びタンクの少なくとも１つを含むことができる。
【００２４】
【発明の実施の形態】
以下に説明する図１，３，５，６，７，８，９及び１１において、矢印で示す方向は、圧縮空気が流れる方向を示す。
【００２５】
［第１実施例：単色織機用の空気供給装置］
【００２６】
図１及び図２を参照するに、空気供給装置１０は、１つのメインノズル１２を備えた単色織機に用いられる。
【００２７】
空気供給装置１０は、圧縮空気供給源１４とメインノズル１２との間に、緯入れ時用及びカッティング時用の圧縮空気調整器１６及び１８とを並列に接続する配管路ａを配管回路としている。
【００２８】
圧縮空気供給源１４は、コンプレッサのような圧力源（図示せず）と、この圧力源の空気出口に配管２０を介して接続された補助圧縮空気調整器（以下、「レギュレータ」と記す。）２２と、レギュレータ２２の空気出口に配管２４を介して接続された圧縮空気タンク（以下、単に「タンク」と記す。）２６とを含む。
【００２９】
タンク２６の空気出口の１つから伸びる配管２８は、タンク２６から下流側に向かって、開閉弁３０、圧縮空気調整器１６、合流路３２及び開閉弁３４をこの順に介してメインノズル１２に接続されている。タンク２６の他の空気出口から伸びる配管３６は、圧縮空気調整器１６から伸びる配管３８に配置された合流路３２に圧縮空気調整器１８を介して接続されている。
【００３０】
レギュレータ２２はタンク２６に貯留する圧縮空気の圧力を調整する。これに対し、圧縮空気調整器１６，１８は流出する圧縮空気の量を調整する。圧縮空気調整器１６は圧縮空気の流出量を大きめの値に設定されており、圧縮空気調整器１８は圧縮空気の流出量を圧縮空気調整器１６の設定値より小さめの値に設定されている。
【００３１】
以上の空気供給装置１０を備えた織機は、以下のように動作する。
【００３２】
メインノズル１２は、タンク２６から供給される圧縮空気をメインノズル１２内の緯糸４０に吹き当てることにより、緯糸４０を緯入れ方向（図１において左から右方向）に飛走させる。
【００３３】
飛走された緯糸４０は、メインノズル１２と織布（図示せず）との間に配置された給糸側のカッター４２により後述する所定のタイミングで切断される。
【００３４】
空気供給装置１０は、例えば図２に示すようなタイミングで、噴射動作を行う。あわせて、図２に給糸側のカッター４２の動作も示す。
【００３５】
織機運転時における緯入れ時（第１の期間）にメインノズル１２により噴射すべき角度的範囲を意味する緯入れ噴射は、クランク角度θが８０°から１６０°までの緯入れ範囲Ｍに行なわれる。緯糸４０の切断は、クランク角度θが２０°及びその近傍の切断範囲に行なわれる。織機運転時におけるカッティング時（第２の期間）にメインノズル１２により噴射すべき角度的範囲を意味するカッティング噴射は、切断範囲を含む、クランク角度θが３４０°から３０°までのカッティング噴射範囲Ｃに行なわれる。
【００３６】
緯入れ噴射のとき、開閉弁３０及び３４は同時に開放される。これに対し、カッティング噴射のとき、開閉弁３０は開放されないが、開閉弁３４は開放される。
【００３７】
カッティング噴射は、筬打ち時に張力が付与される緯糸部分をカッター４２で切り離した残りの給糸側の緯糸４０（メインノズル１２から伸びる緯糸）が、張力の反動によりメインノズル１２から抜けないようにする噴射である。
【００３８】
換言すると、緯糸４０の飛走は、大流出量の圧縮空気が必要である。このため、緯入れ範囲Ｍには、開閉弁３０及び３４のいずれも開放され、圧縮空気調整器１６及び１８により流量を調整されて配管３８及び４４を流れる圧縮空気が合流路３２で合わせられる。
【００３９】
これにより、大量の圧縮空気が開閉弁３４に供給されると共に、開閉弁３４を開放させることにより、その大量の圧縮空気がメインノズル１２に供給される。これにより、緯糸４０は、メインノズル１２から噴射される圧縮空気により確実に飛走される。
【００４０】
緯糸４０がカッター４２によって切断されるとき、緯糸４０に作用している張力によりその緯糸４０に生じる張力反動により緯糸４０がメインノズル１２から抜けてしまうことがある。このため、緯糸切断時には、開閉弁３０を閉鎖させると共に、開閉弁３４を開放させて、圧縮空気調整器１８により調整された小量の圧縮空気をメインノズル１２から噴射させる。これにより、緯糸４０がメインノズル１２から抜け出ることを防止する。
【００４１】
［第２実施例：２色織機用の空気供給装置］
【００４２】
図３及び図４を参照するに、空気供給装置４６は、空気供給装置１０における配管路ａに加えて、さらに、圧縮空気供給源１４を、他の緯糸４８を飛走させるメインノズル５０に接続する配管路ｂを備えた配管回路を用いており、また２色用織機に用いられる。
【００４３】
配管路ｂは、開閉弁３０と圧縮空気調整器１６との間の配管５２に分岐路５４を備えられている。この分岐路５４から伸びる配管５６は、分岐路５４から下流側に向かって、圧縮空気調整器５８、合流路６０及び開閉弁６２をこの順に介してメインノズル５０に接続されている。タンク１４の第３の空気出口から伸びる管路６４は、圧縮空気調整器５８から伸びる配管６６に配置された合流路６０に圧縮空気調整器６８を介して接続されている。
【００４４】
換言すると、圧縮空気調整器５８及び６８は、分岐路５４から分岐する管路５６と、タンク２６の第３の空気出口から伸びる管路６４とにより、分岐路５４、開閉弁３０及びタンク２６に対し並列的に接続されている。
【００４５】
空気供給装置４６において、圧縮空気調整器５８及び６８は、圧縮空気の流出量を調整する装置であり、それぞれ、圧縮空気が圧縮空気調整器１６及び１８と同様の流出量となるように設定されている。すなわち、圧縮空気調整器５８は流出量を大きめの値に設定され、圧縮空気調整器６８は流出量の設定値を圧縮空気調整器５８より小さめの値に設定されている。
【００４６】
圧縮空気調整器１６及び５８並びに１８及び６８の流出量の設定値は、それぞれ、同じ値に設定してもよい。また、圧縮空気調整器１６及び５８並びに１８及び６８の流出量の設定値は、それぞれ、緯糸４０及び４８の特性に基づいて異なる値に設定してもよい。
【００４７】
このように、２色用織機用の空気供給装置４６は、上記空気供給装置１０の配管路ａに加えて、分岐路５４から伸びる配管５６、タンク２６から伸びる配管６４、圧縮空気調整器５８及び６８、開閉弁６２並びにメインノズル５０を組み込むことにより、他のメインノズル５０用とされた配管路ｂを備えており、また圧縮空気調整器５８及び６８をタンク２６と合流部６０との間に並列に配置している。
【００４８】
換言すると、空気供給装置４６は、タンク２６から、メインノズル１２及び５０に伸びるいずれの管路においても開閉弁３０を共有している。したがって、空気供給装置４６によれば、開閉弁３０を共有する配管路ａ，ｂを有しているから、従来技術のように、メインノズルの数に比例した数の開閉弁を備える必要がなく、開閉弁３０の数を従来技術より少なくすることができる。
【００４９】
つまり、表１に示すように、メインノズルを２，４及び６つ用いた場合の、メインノズルと圧縮空気調整器との間に配置すべき緯入れ時用の開閉弁の数は従来技術と同数である。しかし、メインノズルを２，４及び６つ用いた場合の、圧縮空気供給源と圧縮空気調整器との間に配置すべきカッティング時用の開閉弁の数は１つである。これにより、空気供給装置１０においてメインノズルを複数に変更した場合であっても、開閉弁全体の数の増加を従来技術より抑えることができる。
【００５０】
【表１】
2004162221.tif 000003
【００５１】
空気供給装置４６は、例えば図４に示すようなタイミングで、噴射動作を行う。
【００５２】
メインノズルの緯入れ範囲Ｍは、空気供給装置１０と同様に、クランク角度θの範囲で行われる。また、空気供給装置４６は、２色織機用の空気供給装置であることから、メインノズル１２及び５０の緯入れ噴射は、緯入れサイクルのたびに緯入れすべき緯糸に応じたメインノズルから、緯入れ噴射の範囲Ｍに行われる。
【００５３】
すなわち、先ず、図４における第１サイクルのときの緯入れ噴射の範囲Ｍにおいては、開閉弁６２が閉鎖された状態で開閉弁３０及び３４が開放される。これにより、大量の圧縮空気がメインノズル１２から噴射され、緯糸４０がメインノズル１２から飛走される。圧縮空気調整器１６及び１８は、それぞれ、緯糸４０の飛走に適した流出量に調整されている。
【００５４】
次に、図４における第１サイクルのときのカッティング噴射の範囲Ｃにおいては、開閉弁３０及び６２が閉鎖された状態で開閉弁３４が開放される。これにより、少量の圧縮空気がメインノズル１２から噴射され、緯糸４０がカッター４２により切断される。圧縮空気調整器１８は、緯糸４０の切断に適した流出量に調整されている。
【００５５】
次に、図４における第２サイクルのときの緯入れ噴射の範囲Ｍにおいては、開閉弁３４が閉鎖された状態で開閉弁３０及び６２が開放される。これにより、大量の圧縮空気がメインノズル５０から噴射され、緯糸４８がメインノズル５０から飛走される。圧縮空気調整器５８及び６８は、それぞれ、緯糸４８の飛走に適した流出量に調整されている。
【００５６】
次に、図４における第２サイクルのときのカッティング噴射の範囲Ｃにおいては、開閉弁３０及び３４が閉鎖された状態で開閉弁６２が開放される。これにより、小流出量の圧縮空気がメインノズル５０から噴射され、緯糸４８がメインノズル５０と織布との間に配置されているカッター７０により切断される。しかし、緯糸４８は、給糸用のカッター７０の替わりにカッター４２により切断してもよい。圧縮空気調整器６８は、緯糸４８の切断に適した流出量に調整されている。
【００５７】
図示の例においては、空気供給装置４６は、以上の第１及び第２サイクルを繰り返して行う。
【００５８】
空気供給装置４６は、緯糸４０及び４８に対応する緯入れ時用の圧縮空気調整器１６及び５８とカッティング時用の圧縮空気調整器１８及び６８により、メインノズル１２及び５０の噴射量を個別に調整することができる。このため、空気供給装置４６は同じ種類の緯糸を緯入れする場合のみならず、異種の緯糸を緯入れする場合にも使用することができ、空気供給装置４６が適用される織機は、使用可能の緯糸の種類の数を多くすることができる。
【００５９】
［第３実施例：２色織機用の空気供給装置］
【００６０】
図５を参照するに、空気供給装置７２は、空気供給装置１０の配管路ａのほかに、さらに、緯糸４８を飛走させるメインノズル５０に接続される配管路ｃを備えた配管回路を用いており、また２色用織機に用いられる。
【００６１】
空気供給装置７２は、図１に示す空気供給装置１０の合流路３２に分岐用管路として作用する管路７４を接続して合流路３２を合流分岐路７６として用いており、配管７４を、開閉弁６２を介してメインノズル５０に接続している。しかし、空気供給装置７２は、空気供給装置１０における合流路３２からメインノズル１２に伸びる配管に分岐用管路として作用する配管７４を接続することにより、合流路３２及び配管７４の近傍を合流分岐路７６としてもよい。
【００６２】
開閉弁６２に供給される圧縮空気の流量は、図３における圧縮空気調整器５８，６８を介すことなく、合流分岐路７６に直接接続されているから、開閉弁３４に供給される圧縮空気の流量と略同じになる。したがって、この場合、空気供給装置７２は、同種の緯糸４０及び４８をそれぞれメインノズル１２及び５０から緯入れする織機に適している。
【００６３】
空気供給装置７２は、図３に示す圧縮空気調整器５８及び６８を備えていない。したがって、空気供給装置７２よれば、配管回路が空気供給装置４６よりも簡素化する。また、圧縮空気調整器５８及び６８のいずれか一方が共通であってもよい。
【００６４】
空気供給装置７２は、例えば図４に示すようなタイミングで噴射動作を行う。
【００６５】
［第４実施例：補助メインノズル付き２色織機用の空気供給装置］
【００６６】
図６を参照するに、空気供給装置７８は、図３に示す空気供給装置４６の配管路ａ，ｂに、さらに、常時噴射用の圧縮空気調整器８０及び８２に接続される配管路ｄ，ｅを備えた配管回路を用いていると共に、メインノズル１２及び５０を備えた２連のメインノズル８４を用いている。
【００６７】
タンク２６から圧縮空気調整器１８及び６８に伸びる共通の流路として作用する配管８６は、分岐路８８を介して圧縮空気調整器１８及び６８に分岐される。圧縮空気調整器１８及び６８の空気出口から伸びる配管４４及び９０は、それぞれ、合流路３２及び６０に接続されている。
【００６８】
タンク２６と分岐路８８との間の配管８６には、分岐路９２が配置されている。この分岐路９２から伸びる配管９４及び９６は、それぞれ、圧縮空気調整器８０及び８２を介して、開閉弁３４及び６２とメインノズル１２及び５０との間の配管９８及び１００に配置された合流路１０２及び１０４に接続されている。
【００６９】
空気供給装置７８は、合流路１０２及び１０４からメインノズル１２及び５０に伸びる配管９８及び１００に配置された分岐路１０６及び１０８を備えている。分岐路１０６及び１０８から分岐して伸びる一方の配管はそれぞれメインノズル１２及び５０に接続されており、他方の配管１１０及び１１２はそれぞれ補助メインノズル１１４及び１１６に接続されている。
【００７０】
したがって、空気供給装置７８は、タンク２６から供給される圧縮空気を圧縮空気調整器８０及び８２を介してメインノズル１２及び５０並びに補助メインノズル１１４及び１１６に供給する配管路ｄ，ｅを含む。配管路ｄ及びｅは、開閉弁３０，３４，６２を介しない空気をメインノズル１２，５０及び補助メインノズル１１４，１１６に供給する。
【００７１】
上記のことから、メインノズル１２及び５０並びに補助メインノズル１１４及び１１６は、圧縮空気調整器８０及び８２において流出量を調整された圧縮空気を常時噴射している。このため、メインノズル１２及び５０に挿通されている緯糸４０及び４８が、メインノズル１２及び５０並びに補助メインノズル１１４及び１１６から反緯入れ方向に抜けることを防止される。
【００７２】
圧縮空気調整器８０及び８２は、流出量が圧縮空気調整器１６，５８，１８及び６８のいずれの設定値より小さな値となるように、設定されている。しかし、圧縮空気調整器８０及び８２は、圧縮空気調整器１６，５８，１８及び６８のいずれかの設定値と同じになるように設定されていてもよい。
【００７３】
空気供給装置７８において、圧縮空気供給源１４とメインノズル１２及び５０との間の配管回路は、（１）共通の開閉弁３０、大流出量に調整されている圧縮空気調整器１６及び５８並びに開閉弁３４及び６２をそれぞれ介して接続されている緯入れ用配管回路と、（２）小流出量に調整されている圧縮空気調整器１８及び６８並びに開閉弁３４及び６２を介して接続されているカッティング用配管回路と、（３）微小流出量に調整されている圧縮空気調整器８０，８２を介して接続されている常時噴射用配管回路とを並列的に有する。
【００７４】
そのような空気供給装置７８において、圧縮空気供給源１４と圧縮空気調整器１８，６８，８０，８２を備える配管回路は、共通の配管８６を含む。したがって、空気供給装置７８の配管回路は、簡素化されている。
【００７５】
図６において黒丸印を付した分岐路５４，８８，９２，１０６，１０８は、逆止弁を有していない。これに対し、黒三角印を付した合流路３２，６０，１０２，１０４は、対応する圧縮空気調整器１６，１８，５８，６８，８０，８２への逆流を防止する逆止弁を有している。
【００７６】
図６において合流路１０２，１０４からメインノズル１２，５０の側までの間の配管は、圧縮空気調整器を備えていない。したがって、圧縮空気調整器１６，１８，５８，６８，８０，８２における絞り量は、それぞれ、合流路１０２及び１０４の点線で囲まれた領域内において配管内の圧縮空気の圧力を測定し、その結果を基に圧縮空気調整器１６，１８，５８，６８，８０，８２における流量調整を行う機能を空気供給装置７８に付加してもよい。
【００７７】
空気供給装置７８を備える織機において、緯糸４０及び４８は、それぞれ、補助メインノズル１１４及び１１６を介してメインノズル１２及び５０に挿通され、開閉弁３４及び６２の開放に基づいて補助メインノズル１１４及び１１６から２連メインノズル８４に向けて噴射される。
【００７８】
補助メインノズル１１４及び１１６は、それぞれ、メインノズル１２及び５０のタイミングと同じタイミングで圧縮空気を噴射する。メインノズル１２及び５０並びに補助メインノズル１１４及び１１６の噴射は、例えば図４に示すタイミングで行われる。
【００７９】
［第５実施例：補助メインノズル付き４色織機用の空気供給装置］
【００８０】
図７及び図８を参照するに、空気供給装置１１８は、メインノズル及び補助メインノズルが各４つずつ有する４色織機に用いられる。空気供給装置１１８は、図６に示す空気供給装置７８における配管路ａ，ｂ，ｄ，ｅ（それらの符号は図示せず）に加えて、さらに、緯糸１２０及び１２２を緯入れさせるメインノズル１２４及び１２６並びに補助メインノズル１２８及び１３０に接続される配管路ｆ，ｇを備えた配管回路を用いている。
【００８１】
配管路ｆ及びｇは、開閉弁３０から分岐路５４に向けて伸びる配管５２に分岐路１３２を備えている。この分岐路１３２からそれぞれ伸びる配管１３４及び１３６は、それぞれ、分岐路１３２から下流に向かって、圧縮空気調整器１３８及び１４０、合流路１４２及び１４４、分岐路１４６及び１４８、開閉弁１５０及び１５２並びに合流路１５４及び１５６をこの順に介してメインノズル１２４及び１２６に接続されている。
【００８２】
補助メインノズル１１４及び１１６は、それぞれ、図６における配管１１０及び１１２を介して、開閉弁３４及び６２から伸びる配管９８及び１００に配置された分岐路１０６及び１０８に接続される代わりに、図７及び図８における合流路３２及び６０と開閉弁３４及び６２との間の配管１５８及び１６０に設けられた分岐路１６２及び１６４から伸びると共に開閉弁１６６及び１６８を介した配管１７０及び１７２に接続されている。
【００８３】
補助メインノズル１２８及び１３０は、それぞれ、分岐路１４６及び１４８から伸びると共に、開閉弁１７４及び１７６を介した配管１７８及び１８０に接続されている。
【００８４】
圧縮空気調整器１８及び６８と合流路３２及び６０との間の配管４４及び９０に備えられた分岐路１８２及び１８４から伸びている配管１８６及び１８８は、それぞれ、圧縮空気調整器１３８及び１４０と分岐路１４６及び１４８との間の配管１３４及び１３６に設けられている合流路１４２及び１４４に接続されている。
【００８５】
圧縮空気調整器８０及び８２と合流路１０２及び１０４の間の配管９４及び９６に設けられた分岐路１９０及び１９２から伸びている配管１９４及び１９６は、それぞれ、開閉弁１５０及び１５２とメインノズル１２４及び１２６との間の配管１３４及び１３６に設けられている合流路１５４及び１５６に接続されている。
【００８６】
したがって、空気供給装置１１８は、メインノズル１２，５０，１２４及び１２６と圧縮空気供給源１４との間の配管回路として、（１）共通の開閉弁３０、大流出量に調整されている圧縮空気調整器１６，５８，１３８及び１４０並びに開閉弁３４，６２，１５０及び１５２をそれぞれ介して接続されている緯入れ用配管回路と、（２）小流出量に調整されておりメインノズル１２及び１２４の共通の圧縮空気調整器１８とメインノズル５０及び１２６の共通の圧縮空気調整器６８並びに開閉弁３４，６２，１５０及び１５２を介して接続されているカッティング用配管回路と、（３）微小流出量に調整されている圧縮空気調整器８０，８２を介して接続されている常時噴射用配管回路とを並列的に有する。
【００８７】
同様に、空気供給装置１１８は、補助メインノズル１１４，１１６，１２８及び１３０と圧縮空気供給源１４との間の配管回路として、（１）共通の開閉弁３０、大流出量に調整されている圧縮空気調整器１６，５８，１３８及び１４０並びに開閉弁１６６，１６８，１７４及び１７６をそれぞれ介して接続されている緯入れ用配管回路と、（２）小流出量に調整されており補助メインノズル１１４及び１２８の共通の圧縮空気調整器１８と補助メインノズル１１６及び１３０の共通の圧縮空気調整器６８並びに開閉弁１６６，１６８，１７４及び１７６を介して接続されているカッティング用配管回路と、（３）微小流出量に調整されている圧縮空気調整器８０，８２を介して接続されている常時噴射用配管回路とを並列的に有する。
【００８８】
以上の空気供給装置１１８の圧縮空気調整器１３８及び１４０の設定値は、圧縮空気調整器１６及び５８の設定値と同じ値に設定されている。しかし、緯糸１２０及び１２２の特性に応じて圧縮空気調整器１３８及び１４０の設定値を圧縮空気調整器１６及び５８の設定値と異なる値に設定してもよい。
【００８９】
以上の空気供給装置１１８は、例えば図４に示す第１及び第２サイクルを１巡として、第１巡の第１及び第２のサイクルにメインノズル１２及び５０の噴射を行い、第２巡の第１及び第２のサイクルにメインノズル１２４及び１２６の噴射を行う。また、それぞれの補助メインノズルも対応するメインノズルの噴射時にあわせて随時噴射する。
【００９０】
補助メインノズル１１４，１１６，１２８及び１３０の噴射のタイミングは、開閉弁１６６，１６８，１７４及び１７６を開放又は閉鎖をすることにより、メインノズル１２，５０，１２４及び１２６の噴射のタイミングから独立して行うことができる。補助メインノズル１１４，１１６，１２８及び１３０の開閉弁１６６，１６８，１７４及び１７６が噴射される範囲としては、例えばクランク角度θが８０°〜１２０°の範囲であることが好ましい。
【００９１】
上述のように、空気供給装置４６，７２，７８及び１１８は、いずれも空気供給装置１０の配管路ａに所定の配管回路を追加した空気供給装置である。したがって、単色用の織機を多色用の織機に変更することが容易であって圧縮空気供給源１４からメインノズルまでの配管回路が簡素化されている。
【００９２】
［第６実施例：単色織機用の空気供給装置］
【００９３】
図９及び図１０を参照するに、空気供給装置１９８は、圧縮空気の流出量を随時制御可能な可変タイプの圧縮空気調整器２００を備えた配管路ｈを配管回路として用いている。
【００９４】
空気供給装置１９８は、メインノズル２０２を１つ備えた単色織機用の空気供給装置１９８である。空気供給装置１９８の配管回路は、下流に向かって図示しない圧力源、レギュレータ２０４及びタンク２０６をこの順に介して接続されている圧縮空気供給源２０８を含み、タンク２０６から伸びる共に、下流に向かって圧縮空気調整器２００及び開閉弁２１０をこの順に介してメインノズル２０２に接続している配管２１２を有している。
【００９５】
空気供給装置１９８は、常時噴射用の圧縮空気供給源（図示せず）から伸びるとともに、レギュレータ２１４を介して開閉弁２１０とメインノズル２０２との間に備えられた合流路２１６に接続される常時噴射用の配管２１８を有している。しかし、常時噴射用の圧縮空気は、配管２１８を圧縮空気供給源２０８の出力に接続して、圧縮空気供給源を共通化してもよい。
【００９６】
以上の空気供給装置１９８は、例えば図１０に示すタイミングで噴射動作をする。つまり、メインノズル２０２の緯入れ噴射は、クランク角度θが８０°から１６０°までの緯入れ範囲Ｍに行う。カッティング噴射は、クランク角度θが３４０°から３０°までのカッティング噴射範囲Ｃに行う。
【００９７】
したがって、開閉弁２１０の開放は、緯入れ範囲Ｍ及びカッティング噴射範囲Ｃのいずれの範囲にも行われる。一方、圧縮空気調整器２００は、緯入れ範囲Ｍ及びカッティング噴射範囲Ｃに応じて、開閉弁２１０に供給する流出量を多くしたり小さくしたりする。圧縮空気調整器２００の流出量は、クランク角度θを受けて図示しない指令器の信号に基づいて瞬時に調整される。
【００９８】
常時噴射用の配管２１８が直接にメインノズル２０２に接続されていることから、メインノズル２０２は、クランク角度θにかかわらず、レギュレータ２１４で圧力を常に調整された圧縮空気を噴射している。常時噴射用の配管２１８及びレギュレータ２１４は、省略することができる。
【００９９】
以上の空気供給装置１９８の配管回路は、図１に示す空気供給装置１０の配管回路に比べて開閉弁の数が削減され、配管回路自体が簡素化されている。
【０１００】
［第７実施例：２色織機用の空気供給装置］
【０１０１】
図１１を参照するに、空気供給装置２２０は、新たにメインノズル２２２を有する２色用織機に備えることができる配管回路を含む。この空気供給装置２２０は、空気供給装置１９８を２色織機用に変更した装置である。
【０１０２】
圧縮空気供給源２０８から伸びる配管２２４は、圧縮空気供給源２０８から下流に向かって、圧縮空気調整器２２６、開閉弁２２８及び合流路２３０をこの順に介してメインノズル２２２に接続されている。つまり、開閉弁２１０及び２２８は、それぞれ、圧縮空気調整器２００及び２２６に接続されるとともに、メインノズル２０２及び２２２に１対１の関係に接続される。
【０１０３】
レギュレータ２１４と合流路２１６との間の配管２１８に設けられた分岐路２３２から伸びる配管２３４は、開閉弁２２８とメインノズル２２２との間の配管２２４に設けられた合流路２３０に接続されている。
【０１０４】
空気供給装置２２０は、圧縮空気調整器２００及び２２６からの圧縮空気の流出量の設定値を種々変更することにより、メインノズル２０２及び２２２から噴射される圧縮空気の流出量を個別に調整することができる。したがって、空気供給装置２２０を備えた織機は、異なる緯糸を緯入れすることができる。
【０１０５】
空気供給装置２２０は、緯糸の種類が同じときは、圧縮空気調整器２００及び２２６の流出量の設定値は、同じ値に設定することが好ましい。このような場合には、空気供給装置２２０の配管回路は、圧縮空気調整器２２６を省略し、配管２２４をメインノズル２２２と圧縮空気調整器２００に開閉弁２２８を介して接続する配管回路に変更する。そのようにすることで、圧縮空気調整器２２６の配管回路は、圧縮空気制御器の数を少なくすることができ、配管回路はさらに簡素化される。
【０１０６】
［第８実施例：単色織機用の空気供給装置］
【０１０７】
図１２及び図１３を参照するに、空気供給装置２３６は、レギュレータ２３８及びタンク２４０を含む圧縮空気供給源２４２から伸びる配管２４４は、圧縮空気の流出量を０から最大流出量まで随時制御される圧縮空気制御器２４６を介してメインノズル２４８に接続されている。圧縮空気制御器２４６の圧縮空気流出量を０にすると、開閉弁によって圧縮空気の流出を止めることと同じ効果を有する。
【０１０８】
圧縮空気制御器２４６は、圧縮空気供給源２４２から供給される圧縮空気の流出量を、主軸２５０の回転角度を測定するエンコーダ２５２の出力信号を受ける指令器２５４からの指令信号に基づいて調節してメインノズル２４８に供給する。
【０１０９】
指令器２５４は、主軸２５０の回転角度からクランク角度θを求め、クランク角度θに基づいて指令信号を出力している。しかし、エンコーダ２５２は主軸２５０の回転角度を測定する替わりにクランク角度θを直接に測定してもよい。
【０１１０】
空気供給装置２３６は、例えば図１３に示すタイミングで噴射動作をする。すなわち、圧縮空気制御器２４６は、クランク角度θに基づいて、圧縮空気供給源２４２からの圧縮空気の流出量を、緯入れ範囲Ｍでは大流出量に、カッティング範囲Ｃでは小流出量に、それら以外の範囲では常時噴射として微流出量に、連続的に変更させる。
【０１１１】
［第９実施例：単色織機用の空気供給装置］
【０１１２】
図１４を参照するに、図１２に示す空気供給装置２３６は、圧縮空気を噴射するタイミングを種々に変更することができる。
【０１１３】
緯入れは、緯入れの前半の範囲Ｍ１では、緯糸をメインノズル２４８のみの噴射によって緯糸を緯入れする必要があることから、メインノズル２４８が使用する圧縮空気は、大きい流出量が必要になる。
【０１１４】
これに対し、緯糸が経糸開口に緯入れされたのちの緯糸は、メインノズル２４８とサブノズル（図示せず）とによって緯糸が経糸の開口内を搬送されることから、メインノズル２４８が使用する圧縮空気の流出量は小さくてもよい。
【０１１５】
そこで、空気供給装置２３６は、メインノズル２４８で使用する圧縮空気の流出量を２段階とし、前半の範囲Ｍ１では、緯入れ流出量を大きくし、後半の範囲Ｍ２では、緯入れ流出量を前半のそれより小さくなるように圧縮空気制御器２４６を制御する。
【０１１６】
しかし、緯糸などの使用条件によっては、後半の流量を少なくすると緯入れミスが発生する場合があるため、空気供給装置２３６は、メインノズル２４８が使用する圧縮空気の流出量を２段階ではなく３段階以上あるいは無段階に変化させるように圧縮空気制御器２４６を制御してもよい。
【０１１７】
また、指令器２５４は、緯入れが終了している範囲（例えば図１４においてクランク角度θが２４０°から３４０°の範囲）の圧縮空気の流出量を０とする指令信号を圧縮空気制御器２４６に指令するようにしてもよい。そのようにすることで、空気供給装置２３６全体の圧縮空気の消費量は、低減する。
【０１１８】
［第１０実施例：２色織機用の空気供給装置］
【０１１９】
図１５を参照するに、空気供給装置２５６は、図１２に示す空気供給装置２３６に、さらに、緯糸を飛走させるメインノズル２５８に接続される配管路を備えており、また２色用織機用の空気供給装置に用いられる。
【０１２０】
圧縮空気供給源２４２から伸びる配管２６０は、圧縮空気制御器２６２を介してメインノズル２５８に接続されている。
【０１２１】
メインノズル２４８及び２５８用の指令信号を受けた指令器２５４は、圧縮空気制御器２４６及び２６２へ指令信号を出力する。
【０１２２】
同様に、３色以上の織機に空気供給装置２５６を備えるときは、メインノズルと１対１の関係にある圧縮空気制御器を有する個別の配管を圧縮空気供給源２４２に接続すればよい。また、圧縮空気制御器を共通にしてもよい。
【０１２３】
［その他の実施例］
【０１２４】
上記の第６から第１０実施例において、第４及び第５実施例で示した補助メインノズルを備えてもよいことは、改めて説明するまでもない。
【０１２５】
上記のすべての実施例において、圧縮空気調整器及び圧縮空気制御器の出口側に逆止弁を設けてもよいことは言うまでもない。
【０１２６】
上記すべての実施例において、圧縮空気調整器及び圧縮空気制御器は、流出量を設定するとして説明したが、圧縮空気調整器及び圧縮空気制御器は、流出量の替わりに圧力を設定してもよいし、流出量を設定する圧縮空気調整器及び圧縮空気制御器と圧力を設定する圧縮空気調整器及び圧縮空気制御器とを混在してもよいし、そのほかの手段（たとえば、絞り角度や弁の開口量など）によって圧縮空気調整器及び圧縮空気制御器を設定してもよいことは、言うまでもない。
【０１２７】
また、上記実施例では、第２の期間を織機運転時におけるカッティング期間としたが、第２の期間を例えば織機停止期間に常に噴射するとしてもよい。また、第１の期間を緯入れ期間（緯入れ開始から緯入れ終了まで）の内の所定期間に噴射するとしたが、緯入れの全期間に噴射するとしてもよい。
【０１２８】
本発明は、上記実施例に限定されず、その趣旨を逸脱しない限り、種々に変更することができる。
【図面の簡単な説明】
【図１】本発明に係る空気供給装置の第１実施例の配管回路図である。
【図２】図１に示す空気供給装置のタイミングチャート図である。
【図３】本発明に係る空気供給装置の第２実施例の配管回路図である。
【図４】図３に示す空気供給装置のタイミングチャート図である。
【図５】本発明に係る空気供給装置の第３実施例の配管回路図である。
【図６】本発明に係る空気供給装置の第４実施例の配管回路図である。
【図７】本発明に係る空気供給装置の第５実施例の配管回路図であって一方の側の配管回路図である。
【図８】第５実施例の配管回路図であって図７に示す配管回路図の他方の側の配管回路図である。
【図９】本発明に係る空気供給装置の第６実施例の配管回路図である。
【図１０】図９に示す空気供給装置のタイミングチャート図である。
【図１１】本発明に係る空気供給装置の第７実施例の配管回路図である。
【図１２】本発明に係る空気供給装置の第８実施例の配管回路図である。
【図１３】図１２に示す空気供給装置のタイミングチャート図である。
【図１４】本発明に係る空気供給装置の第９実施例のタイミングチャート図である。
【図１５】本発明に係る空気供給装置の第１０実施例の配管回路図である。
【符号の説明】
１０，４６，７２，７８，１１８，１９８，２２０，２３６，２５６  空気供給装置
１２，５０，１２４，１２６，２０２，２２２，２４８，２５８  メインノズル
１４，２０８，２４２  圧縮空気供給源
１６，５８，１３８，１４０  緯入れ時用の圧縮空気調整器
１８，６８  カッティング時用の圧縮空気調整器
２２，２０４，２３８  圧縮空気供給源のレギュレータ（補助圧縮空気調整器）
２６，２０６，２４０  圧縮空気供給源のタンク（圧縮空気タンク）
３０  カッティング用の開閉弁（第１の開閉弁）
３４，６２，１５０，１５２  緯入れ用の開閉弁（第２の開閉弁）
４０，４８，１２０，１２２  緯糸
４２，７０  給糸側のカッター
８０，８２  常時噴射用の圧縮空気調整器
１１４，１１６，１２８，１３０  補助メインノズル
１６６，１６８，１７４，１７６  補助メインノズル用の開閉弁
２００，２２６  可変タイプの圧縮空気調整器
２１０，２２８  開閉弁
２１４  常時噴射用のレギュレータ
２４６，２６２  圧縮空気制御器
２５４  指令器
【図１】
2004162221.tif 000004
【図２】
2004162221.tif 000005
【図３】
2004162221.tif 000006
【図４】
2004162221.tif 000007
【図５】
2004162221.tif 000008
【図６】
2004162221.tif 000009
【図７】
2004162221.tif 000010
【図８】
2004162221.tif 000011
【図９】
2004162221.tif 000012
【図１０】
2004162221.tif 000013
【図１１】
2004162221.tif 000014
【図１２】
2004162221.tif 000015
【図１３】
2004162221.tif 000016
【図１４】
2004162221.tif 000017
【図１５】
2004162221.tif 000018